(57)【要約】【課題】紙葉類の仕分け方について、現場で実際の紙葉類の状態を把握しながら容易に設定できるような紙葉類処理装置及び紙葉類処理方法を提供すること。【解決手段】本発明は、紙葉類の正損情報を取得する識別部と、紙葉類の搬送途中において、各紙葉類を分岐させる分岐部と、分岐された紙葉類を集積するＮ個（Ｎは３以上の自然数）の集積部と、紙葉類を正損に関するＮ個の種類に分類する第１分類基準を自動で作成し、前記第１分類基準と前記識別部の識別結果に基づいて、前記分岐部を駆動制御する制御部と、を備えたことを特徴とする紙葉類処理システムである。【選択図】図７
2016201046.tif 000002
【特許請求の範囲】
【請求項１】
紙葉類の正損情報を取得する識別部と、
紙葉類の搬送途中において、各紙葉類を分岐させる分岐部と、
分岐された紙葉類を集積する少なくともＮ個（Ｎは３以上の自然数）の集積部と、
紙葉類を正損に関するＮ個の種類に分類する第１分類基準を自動で作成し、前記第１分類基準と前記識別部の識別結果に基づいて、前記分岐部を駆動制御する制御部と、
を備えたことを特徴とする紙葉類処理システム。
【請求項２】
前記正損情報は、紙葉類の正損の程度を表す値であり、
前記第１分類基準は、前記正損情報を大きさの順にＮ個の種類に分類するものである
ことを特徴とする請求項１に記載の紙葉類処理システム。
【請求項３】
前記制御部は、前記紙葉類の正損の程度のうち、一部の範囲について前記第１分類基準を作成する
ことを特徴とする請求項２に記載の紙葉類処理システム。
【請求項４】
前記正損情報は、紙葉類の欠損の程度、汚損の程度、厚み異常の程度、及び、疲労の程度からなる正損要因のうち、少なくとも１つの正損要因に関する情報である
ことを特徴とする請求項１乃至３に記載の紙葉類処理システム。
【請求項５】
前記集積部の内部状態を視認するための視認部を備えた
ことを特徴とする請求項１乃至４に記載の紙葉類処理システム。
【請求項６】
前記視認部は、前記集積部に設けられ、当該集積部の内部を視認可能にする開口部または窓部である
ことを特徴とする請求項５に記載の紙葉類処理システム。
【請求項７】
前記視認部は、前記集積部の各々の内部状態を視認可能に表示する表示部である
ことを特徴とする請求項５に記載の紙葉類処理システム。
【請求項８】
紙葉類を正損に関するＮより少ない個数の種類に分類する第２分類基準を、前記第１分類基準に基づいて作成する分類基準作成部を備えた
ことを特徴とする請求項１乃至７に記載の紙葉類処理システム。
【請求項９】
前記第１分類基準はＮ−１個の閾値を含み、
前記分類基準作成部は、前記第１分類基準の前記閾値の一部を用いて前記第２分類基準を作成する
ことを特徴とする請求項８に記載の紙葉類処理システム。
【請求項１０】
前記分類基準作成部は、前記第１分類基準により分類されるＮ個の種類に含まれる複数の種類を、前記第２分類基準により分類される１つの種類とすることで前記第２分類基準を作成する
ことを特徴とする請求項８に記載の紙葉類処理システム。
【請求項１１】
紙葉類の正損情報を取得する工程と、
紙葉類の搬送途中において、各紙葉類を分岐させる工程と、
分岐された紙葉類を少なくともＮ個（Ｎは３以上の自然数）の集積部に集積する工程と、
紙葉類を正損に関するＮ個の種類に分類する第１分類基準を自動で作成する工程とを備え、
前記紙葉類を分岐させる工程は、前記第１分類基準と前記正損情報に基づいて、各紙葉類を分岐させる  
ことを特徴とする紙葉類処理方法。
【請求項１２】
紙葉類を正損に関するＮより少ない個数の種類に分類する第２分類基準を、前記第１分類基準に基づいて作成する工程を更に備えた
ことを特徴とする請求項１１に記載の紙葉類処理方法。
【発明の詳細な説明】
【技術分野】
【０００１】
本発明は、紙葉類処理装置及び紙葉類処理方法に関する。
【背景技術】
【０００２】
従来から、紙葉類を受け入れるための受入部と、受入部で受け入れられた紙葉類を搬送するための搬送部と、搬送部で搬送される紙葉類を複数の分類に従って識別する識別部と、識別部で識別された紙葉類を複数の分類に従って集積する集積部と、を備えた紙葉類処理装置が知られている（例えば、特許文献１及び２参照）。
【先行技術文献】
【特許文献】
【０００３】
【特許文献１】特開２０１３−２５４３９２号公報
【特許文献２】特許第５０９１３５９号公報
【発明の概要】
【発明が解決しようとする課題】
【０００４】
紙葉類（特には紙幣）は、例えば、正損情報（正券／損券に関する状態についての情報）に従って２種類に分類される。各紙幣の正損情報に基づく選別は、各紙幣の再利用の態様を決定する上で重要である。また、正券／損券の選別は、ＡＴＭでの出金にも耐えられる新券に近い正券（ＡＴＭ−Ｆｉｔ）と、ＡＴＭ以外で再利用される正券（Ｔｅｌｌｅｒ−Ｆｉｔ）と、回収してしまって（再利用はしないで）中央銀行で交換する損券（Ｕｎｆｉｔ）と、の３種類に分類される場合もある。
【０００５】
紙幣処理装置は、開発途上国の経済発展に伴って、世界の様々な国で利用され始めている。本件発明者は、国によっては、正券／損券の仕分け方について、現場で実際の現物紙幣の状態を把握しながら設定できることが有益であるとの知見を得て、鋭意検討を重ねてきた。
【０００６】
本発明は、このような点を考慮してなされたものであり、紙葉類の仕分け方について、現場で実際の紙葉類の状態を把握しながら容易に設定できるような紙葉類処理装置及び紙葉類処理方法を提供することを目的とする。
【課題を解決するための手段】
【０００７】
本発明は、紙葉類の正損情報を取得する識別部と、紙葉類の搬送途中において、各紙葉類を分岐させる分岐部と、分岐された紙葉類を集積するＮ個（Ｎは３以上の自然数）の集積部と、紙葉類を正損に関するＮ個の種類に分類する第１分類基準を自動で作成し、前記第１分類基準と前記識別部の識別結果に基づいて、前記分岐部を駆動制御する制御部と、を備えたことを特徴とする紙葉類処理システムである。
【０００８】
本発明によれば、制御部が第１分類基準を自動で作成するため、作業者がマニュアルで第１分類基準を作成する必要がなく、作業効率がよい。例えば、作業者は、第１分類基準により、正損に関するＮ個の種類に分類された紙葉類の実際の正損状態を把握することができ、把握した正損状態を利用して、目的とする紙葉類の仕分け方を設定することができる。
【０００９】
例えば、Ｎ＝３であれば、１つの種類を正券とし、その他の２つの種類を損券とするような運用が可能である。
【００１０】
前記正損情報は、紙葉類の正損の程度を表す値であり、前記第１分類基準は、前記正損情報を大きさの順にＮ個の種類に分類するものであることが好ましい。
【００１１】
また、前記制御部は、前記紙葉類の正損の程度のうち、一部の範囲について前記第１分類基準を作成してもよい。例えば、正損の程度が著しく低い（再流通に適さない）範囲と、正損の程度が著しく高い（再流通に適する）範囲とを除いた範囲について前記第１分類基準を作成してもよい。
【００１２】
また、前記制御部は、紙葉類の欠損の程度、汚損の程度、厚み異常の程度、及び、疲労の程度からなる正損要因のうち、少なくとも１つの正損要因に関する前記第１分類基準を作成することが好ましい。
【００１３】
また、本発明による紙葉類処理システムは、前記集積部の内部状態を視認するための視認部を更に備えることが好ましい。この場合、当該視認部は、前記集積部に設けられ、当該集積部の内部を視認可能にする開口部または窓部であることが更に好ましい。あるいは、当該視認部は、前記集積部の各々の内部状態を視認可能に表示する表示部であることが更に好ましい。
【００１４】
本発明によれば、第１分類基準によりＮ個の集積部に分類された紙葉類の状態を、視認部から容易に把握することができる。
【００１５】
また、本発明による紙葉類処理システムは、紙葉類を正損に関するＮより少ない個数の種類に分類する第２分類基準を、前記第１分類基準に基づいて作成する分類基準作成部を備えていることが更に好ましい。この場合、前記第１分類基準はＮ−１個の閾値を含み、前記分類基準作成部は、前記第１分類基準の前記閾値の一部を用いて前記第２分類基準を作成するようになっていることが更に好ましい。あるいは、前記分類基準作成部は、前記第１分類基準により分類されるＮ個の種類に含まれる複数の種類を、前記第２分類基準により分類される１つの種類とすることで前記第２分類基準を作成するようになっていることが更に好ましい。
【００１６】
本発明は、第１分類基準に基づいて、第２分類基準を容易に設定できる。より詳細には、第１分類基準により分類された紙葉類の実際の正損状態を確認しながら、第１分類基準を利用して、目的とする第２分類基準を容易に設定できる。
【００１７】
あるいは、本発明は、紙葉類の正損情報を取得する工程と、紙葉類の搬送途中において、各紙葉類を分岐させる工程と、分岐された紙葉類をＮ個（Ｎは３以上の自然数）の集積部に集積する工程と、紙葉類を正損に関するＮ個の種類に分類する第１分類基準を自動で作成する工程とを備え、前記紙葉類を分岐させる工程は、前記第１分類基準と前記正損情報に基づいて、各紙葉類を分岐させることを特徴とする紙葉類処理方法である。
【００１８】
本発明によれば、第１分類基準が自動で作成されるため、作業者がマニュアルで第１分類基準を作成する必要がなく、作業効率がよい。例えば、作業者は、第１分類基準により、正損に関するＮ個の種類に分類された紙葉類の実際の正損状態を把握することができ、把握した正損状態を利用して、目的とする紙葉類の仕分け方を設定することができる。  本方法において、紙葉類を正損に関するＮより少ない個数の種類に分類する第２分類基準を、前記第１分類基準に基づいて作成する工程を更に備えることが好ましい。
【発明の効果】
【００１９】
本発明によれば、制御部が第１分類基準を自動で作成するため、作業者がマニュアルで第１分類基準を作成する必要がなく、第１分類基準により分類された紙葉類の実際の正損状態を把握して、目的とする紙葉類の仕分け方を容易に設定することができる。
【図面の簡単な説明】
【００２０】
【図１】図１は、本発明の一実施の形態による紙葉類処理装置の外観を示す斜視図である。
【図２】図２は、本発明の一実施の形態による紙葉類処理装置の内部構成を示す概略縦断面図である。
【図３】図３は、本発明の一実施の形態による紙葉類処理装置の制御ブロック図である。
【図４】図４は、本発明の一実施の形態の変形例による紙葉類処理装置の外観を示す斜視図である。
【図５】図５は、図４の紙葉類処理装置の内部に設置される基板の構成の概略を示した図である。
【図６】図６は、第１分類基準とスタッカとの対応例を示している。
【図７】図７は、最終分類に仕分ける仕分け方の入力画面例を示している。
【図８】図８は、他の画面例を示している。
【図９】図９は、入力部として押ボタンが設けられた例を示している。
【図１０】図１０は、汚損の程度、厚み異常の程度、及び、疲労の程度をも考慮した第１分類基準の一例を示している。
【図１１】図１１は、汚損の程度、厚み異常の程度、及び、疲労の程度をも考慮した第１分類基準の他の一例を示している。
【発明を実施するための形態】
【００２１】
以下、本発明に係る紙葉類処理装置及び紙葉類処理方法の一実施の形態について、図面を参照して説明する。ここで、図１乃至図５は、本発明の一実施の形態を説明するための図である。
【００２２】
なお、本願における「紙葉類」とは、紙幣、小切手、商品券、帳票等のことを意味するが、代表的なものとしては紙幣を意味する。
【００２３】
図１及び図２に示すように、本実施の形態の紙葉類処理装置１００は、筐体１と、筐体１に設けられて複数の紙葉類を受け入れる受入部１１と、受入部１１で受け入れられた紙葉類を１枚ずつ筐体１内に取り込む取込部１０と、を備えている。図２に示すように、本実施の形態の紙葉類処理装置１００は、取込部１０から筐体１内に取り込まれた紙葉類を一枚ずつ搬送する搬送部７０と、搬送部７０で搬送されている紙葉類を識別して計数する識別部５５と、後述するスタッカ６０（６０ａ〜６０ｈ）に集積されない紙葉類をリジェクトする複数のリジェクト部６５（６５ａ，６５ｂ）と、を備えている。
【００２４】
なお、本実施の形態の識別部５５が紙幣を識別する際には、例えば、紙幣の金種、正損（後に詳述する）、表裏、刷種（新旧等）、方向、真偽、紙幣の記番号等を識別する。なお、識別部５５は、搬送路を案内されている紙葉類の画像を読み取る画像読取センサ３４を有しており、この画像読取センサ３４によって読み取られた画像データに基づいて、例えば、紙幣の金種、正損、表裏、刷種、方向、真偽、紙幣の記番号等を識別する。通貨の内容としては、例えば、日本円、ＵＳドル、ユーロ、中国元、インドルピー等を挙げることができる。また、紙幣の金種としては、例えば１万円、１０００円、１００ドル、１０ドル等を挙げることができる。
【００２５】
取込部１０は、図２に示すように、紙葉類を繰り出すフィードローラ１０ａと、フィードローラ１０ａに対向して設けられたゲートローラ（逆転ローラ）１０ｂと、受入部１１に収容された紙葉類をフィードローラ１０ａに向かって蹴り出すキッカローラ１０ｃ，１０ｄと、を有している。また、搬送部７０は、紙葉類を案内する搬送路と、この紙葉類に駆動力を付与する搬送ローラ及び／又は搬送ベルトと、搬送ローラ及び／又は搬送ベルトを駆動する駆動部７１（図３参照）と、を有している。
【００２６】
駆動部７１は、受入部１１、識別部５５、リジェクト部６５等を含む上部ユニット１０５（図２参照）内に設けられ、当該上部ユニット１０５内における搬送ローラ（フィードローラ、ゲートローラ及びキッカローラを含む）及び／又は搬送ベルト、羽根車６６ａ，６６ｂ等を駆動する上部駆動部と、スタッカ６０ａ〜６０ｄを含む第一スタッカユニット１１０（図２参照）内に設けられ、当該第一スタッカユニット１１０内における搬送ローラ及び／又は搬送ベルト、羽根車６１ａ−６１ｄ等を駆動する第一下部駆動部と、スタッカ６０ｅ−６０ｈを含む第二スタッカユニット１２０（図２参照）内に設けられ、当該第二スタッカユニット１２０内における搬送ローラ及び／又は搬送ベルト、羽根車６１ｅ−６１ｈ等を駆動する第二下部駆動部と、を有している。
【００２７】
紙葉類の正損の内容は、最終的には、ＡＴＭ等での出金にも耐えられる新券に近い正券（ＡＴＭ−Ｆｉｔ）と、ＡＴＭ等以外で再利用される正券（Ｔｅｌｌｅｒ−Ｆｉｔ）と、回収してしまって（再利用はしないで）中央銀行等で交換する損券（Ｕｎｆｉｔ）と、の３種類に分類されることが好ましい。このための前準備として、本実施の形態の識別部５５は、紙葉類の正損情報として、各紙葉類の正損の程度について２５６段階の値（レベル、大きさ）を出力可能となっている。
【００２８】
図１及び図２に示すように、リジェクト部６５は、下方側に配置された第一リジェクト部６５ａと、上方側に配置された第二リジェクト部６５ｂと、を有している。例えば、第一リジェクト部６５ａには、識別異常や搬送異常であると判断された紙葉類が集積され、第二リジェクト部６５ｂには、識別部５５の真偽判定によって偽券であると判断された紙葉類が集積され得る。搬送異常とは、搬送部７０によって紙葉類を搬送する際の異常を意味している。このような搬送異常としては、例えば、紙葉類が斜めに搬送されている場合（斜行）や、複数の紙葉類が重なって搬送されている場合（重送）や、複数の紙葉類が所定の間隔を隔てないで搬送されている場合（連鎖）等を挙げることができる。他方、識別異常とは、識別部５５によって識別された情報が後述する記憶部５６に予め記憶された識別用情報と一致しないため、紙葉類の種類（例えば、紙幣の金種）を特定できない場合等を挙げることができる。また、偽券とは、紙葉類の種類は特定できるが、識別部５５によって識別された特定の情報が、後述する記憶部５６に予め記憶された真券であることを保証する情報と一致しない紙葉類や、特定の情報が偽券であることを示す情報と一致する紙葉類である。なお、このような偽券を、識別異常と一緒に第一リジェクト部６５ａに集積し、識別結果や搬送状態は正常であるが、スタッカ６０ａ〜６０ｄには集積されるべきではない紙葉類を第二リジェクト部６５ｂに集積してもよい。
【００２９】
図２に示すように、搬送部７０の搬送路には、紙葉類をリジェクト部６５へと案内するための分岐部材４６（４６ａ，４６ｂ）が設けられている。より具体的には、紙葉類を第一リジェクト部６５ａへと案内するための分岐部材４６ａと、紙葉類を第二リジェクト部６５ｂへと案内するための分岐部材４６ｂと、が設けられている。
【００３０】
また、分岐部材４６ａと第一リジェクト部６５ａとの間には、分岐部材４６ａによって案内された紙葉類が正常に第一リジェクト部６５ａへと案内されているかを検知するセンサ３５ａが設けられている。同様に、分岐部材４６ｂと第二リジェクト部６５ｂとの間には、分岐部材４６ｂによって案内された紙葉類が正常に第二リジェクト部６５ｂへと案内されているかを検知するセンサ３５ｂが設けられている。
【００３１】
図２に示すように、スタッカ６０ａ〜６０ｄの上部には、第一スタッカユニット１１０内の搬送部７０を覆うようにして第一カバー４９ａが設けられている。同様に、スタッカ６０ｅ−６０ｈの上部には、第二スタッカユニット１２０内の搬送部７０を覆うようにして第二カバー４９ｂが設けられている。
【００３２】
また、本実施の形態の紙葉類処理装置１００は、識別部５５で識別された紙葉類を集積する複数、図１及び図２に示す態様では８個、のスタッカ６０（６０ａ〜６０ｈ）を備えている。そして、本実施の形態の紙葉類処理装置１００は、紙葉類を正損に関するＮ個の種類に分類する第１分類基準を自動で作成する制御部５０を備えている（図３参照）。制御部５０は、当該第１分類基準と識別部５５による識別結果（各紙葉類の正損の程度にを示す２５６段階の値（正損情報））に基づいて、分岐部材４６を駆動制御するようになっている。
【００３３】
ここで、Ｎは３以上でスタッカ６０の個数（ここでは８）以下の自然数であり、例えば操作表示部５９に対する操作者の入力操作によって与えられる。また、Ｎは、紙葉類処理装置１００のスタッカ６０の最大個数（ここでは８）が自動的に与えられるようになっていてもよい。制御部５０は、このＮという数値に基づいて、予め与えられている所定の関数によって、第１分類基準を自動で作成する。本例では、スタッカ６０の個数と同数、すなわち、Ｎ＝８が与えられたものとして説明を続ける。この場合、第１分類基準は、紙葉類を正損に関する８個の種類に分類する基準であり、本例では、（１）正損情報が０〜３１の紙葉類、（２）正損情報が３２〜６３の紙葉類、（３）正損情報が６４〜９５の紙葉類、（４）正損情報が９６〜１２７の紙葉類、（５）正損情報が１２８〜１５９の紙葉類、（６）正損情報が１６０〜１９１の紙葉類、（７）正損情報が１９２〜２２３の紙葉類、（８）正損情報が２２４〜２５５の紙葉類、の８個の種類に分類する基準である。すなわち、本例では、所定の関数とは、２５６段階の正損情報を３２段階ずつ均等割りするものである。ここで、レベルの数値が低い方が、再流通券としての適正が低い（欠損や汚損の程度が悪い）。
【００３４】
そして、本実施の形態の紙葉類処理装置１００は、各紙葉類の搬送途中において、後述の分岐部材４１ａ〜４１ｇによって、前記第１分類基準と識別部５５による識別結果とに基づいて、各紙葉類を８個の種類に分岐させ、分岐された各紙葉類を８個の種類に対応するようにスタッカ６０（６０ａ〜６０ｈ）に集積させるようになっている。
【００３５】
具体的には、正損情報が０〜３１の紙葉類をスタッカ６０ａに集積させ、正損情報が３２〜６３の紙葉類をスタッカ６０ｂに集積させ、正損情報が６４〜９５の紙葉類をスタッカ６０ｃに集積させ、正損情報が９６〜１２７の紙葉類をスタッカ６０ｄに集積させ、正損情報が１２８〜１５９の紙葉類をスタッカ６０ｅに集積させ、正損情報が１６０〜１９１の紙葉類をスタッカ６０ｆに集積させ、正損情報が１９２〜２２３の紙葉類をスタッカ６０ｇに集積させ、正損情報が２２４〜２５５の紙葉類をスタッカ６０ｈに集積させるようになっている。
【００３６】
各スタッカ６０ａ〜６０ｈは、図１に示すように、前面に開口部Ｏを有しており、オペレータはスタッカ６０ａ〜６０ｈ内の紙葉類を自由に視認可能であるばかりか、取り出すことさえできる。なお、図１及び図２では、一例として８個のスタッカ６０ａ〜６０ｈが設けられている態様を用いて説明するが、スタッカ６０ａ〜６０ｈの個数は３個以上であればよい。また、本実施の形態では、前面が開口したスタッカ６０ａ〜６０ｈを用いて説明しているが、これに限られることはなく、開口部Ｏの代わりに透明な窓部を採用することもできる。透明な窓部は、内部の紙葉類の状態を視認可能にするが、紙葉類の取り出しまでは許容しない。なお、本実施の形態のスタッカ６０ａ〜６０ｈは特許請求の範囲の「集積部」に含まれている。また、本実施の形態の開口部または窓部は、特許請求の範囲の「視認部」に含まれている。
【００３７】
図１に戻って、筐体１の正面側には、例えばタッチパネル等からなり所定の情報を表示するとともに、所定の情報を入力することができる操作表示部５９が設けられている。本実施の形態の操作表示部５９は、紙葉類を正損に関する３つの種類（ＡＴＭ−Ｆｉｔ、Ｔｅｌｌｅｒ−Ｆｉｔ、Ｕｎｆｉｔ）に仕分ける分類基準を設定する入力部として機能するようになっている。
【００３８】
なお、操作表示部５９は、操作部及び表示部の両方の役割を果たしているが、このような態様に限られることはない。つまり、操作部と表示部とが別体となっていてもよい。また、本実施の形態では、筐体１の正面側には、操作表示部５９に隣接してボタン式操作部５８も設けられている。
【００３９】
図２に示すように、搬送部７０には、搬送部７０を通過する紙葉類を検知したり、紙葉類の有無を検知したりするための複数のセンサ３３が設けられている。なお、受入部１１に設けられたセンサ３３は、受入部１１内に紙葉類があるか否かを判断するために用いられる。また、分岐部材４６ｂとスタッカ６０ａとの間に設けられたセンサ３３は、リジェクト部６５に案内されなかった紙葉類が、スタッカ６０ａ〜６０ｈに向かって正常に案内されているかを検知するために用いられる。
【００４０】
図２に示すように、第一スタッカユニット１１０及び第二スタッカユニット１２０内の搬送路には、紙葉類が正常に搬送されているかを検知するセンサ３１（３１ａ−３１ｇ）や、紙葉類の案内されるスタッカ６０ａ〜６０ｈを切り換える分岐部材４１（４１ａ〜４１ｇ）が設けられている。また、これら分岐部材４１ａ〜４１ｇの下流側には、分岐部材４１ａ〜４１ｇによって分岐された紙葉類が正常にスタッカ６０ａ〜６０ｈに案内されているかを検知するカウントセンサ３２（３２ａ−３２ｈ）が設けられている。
【００４１】
また、図１に示すように、筐体１には、スタッカ６０ａ〜６０ｈの各々に対応して、各スタッカ６０ａ〜６０ｈに集積されている紙葉類の状態（分類の情報）や枚数を表示するための個別表示部５１ａ−５１ｈが設けられている。この個別表示部５１ａ−５１ｈは、ＬＣＤ等のディスプレイでもよいし、印刷された文字と発光素子との組み合わせでもよい。
【００４２】
なお、個別表示部５１ａ−５１ｈに表示される紙葉類の情報は、正損に関する情報に限られず、通貨の種類、紙幣の金種、紙幣の刷種、紙葉類の表裏、紙葉類の方向等であってもよい。紙葉類の方向というのは、表前、表後、裏前及び裏後の４つである。具体的には、紙葉類が紙幣である場合には、肖像が上でかつ肖像の頭の方から取り込まれる方向が表前、肖像が上でかつ頭と反対の方から取り込まれる方向が表後、肖像が下でかつ肖像の頭の方から取り込まれる方向が裏前、肖像が下でかつ頭と反対の方から取り込まれる方向が裏後となる。ちなみに、紙幣において肖像がある方は表面（おもてめん）と呼ばれ、表面（おもてめん）と逆側の面が裏面と呼ばれる。
【００４３】
また、図２に示すように、スタッカ６０ａ〜６０ｈ内には、それぞれ、スタッカ６０ａ〜６０ｈ内の紙葉類の収納状況を検知する残留検知センサ３６（３６ａ−３６ｈ）が設けられている。
【００４４】
その他、図３に示すように、制御部５０には、取込部１０、駆動部７１、記憶部５６、識別部５５、分岐部材４１，４６、リジェクト部６５、センサ３１−３４，３６、操作表示部５９、ボタン式操作部５８、スタッカ制御部１３５、スタッカ記憶部１３６等が接続されている。そして、制御部５０は当該制御部５０に接続された各構成要素から情報を取得したり、各構成要素に指令を与えたりするようになっている。
【００４５】
次に、以上のような構成からなる８個のスタッカ６０ａ〜６０ｈを有する本実施の形態の作用について説明する。
【００４６】
まず、受入部１１に処理の対象となる紙葉類が載置される（図１及び図２参照）。次に、受入部１１に載置された紙葉類が筐体１内に取込部１０によって取り込まれる。このように取込部１０によって取り込まれた紙葉類は搬送部７０で搬送され、識別部５５で識別される。前述のように、本実施の形態の識別部５５は、各紙葉類の正損の程度を示す正損情報を、２５６段階の値として出力可能となっている。
【００４７】
次に、例えば操作表示部５９に対する操作者の入力操作によってＮが与えられ、制御部５０が、紙葉類を正損に関するＮ個の種類に分類する第１分類基準を自動で作成する。ここでは、Ｎ＝８として説明を続ける。本例の第１分類基準は、紙葉類を正損に関する８個の種類に分類する基準であり、（１）正損情報が０〜３１の紙葉類、（２）正損情報が３２〜６３の紙葉類、（３）正損情報が６４〜９５の紙葉類、（４）正損情報が９６〜１２７の紙葉類、（５）正損情報が１２８〜１５９の紙葉類、（６）正損情報が１６０〜１９１の紙葉類、（７）正損情報が１９２〜２２３の紙葉類、（８）正損情報が２２４〜２５５の紙葉類、の８個の種類に分類する基準である。制御部５０は、当該第１分類基準と識別部５５による識別結果（各紙葉類の正損情報）に基づいて、搬送部７０による搬送の途中において分岐される。分岐された各紙葉類は、８個の種類に対応するように、スタッカ６０（６０ａ〜６０ｈ）に集積される。
【００４８】
具体的には、正損情報が０〜３１の紙葉類がスタッカ６０ａに集積され、正損情報が３２〜６３の紙葉類がスタッカ６０ｂに集積され、正損情報が６４〜９５の紙葉類がスタッカ６０ｃに集積され、正損情報が９６〜１２７の紙葉類がスタッカ６０ｄに集積され、正損情報が１２８〜１５９の紙葉類がスタッカ６０ｅに集積され、正損情報が１６０〜１９１の紙葉類がスタッカ６０ｆに集積され、正損情報が１９２〜２２３の紙葉類がスタッカ６０ｇに集積され、正損情報が２２４〜２５５の紙葉類がスタッカ６０ｈに集積される。
【００４９】
なお、識別部５５で正常に識別されなかった紙葉類は、リジェクト紙葉類として例えばリジェクト部６５ａ，６５ｂへと搬送される。
【００５０】
各スタッカ６０ａ〜６０ｈは、図１に示すように、前面に開口部Ｏを有している（透明な窓部でもよい）。この開口部Ｏ（または窓部）を介して、オペレータがスタッカ６０ａ〜６０ｈ内の紙葉類を視覚的に確認する。または、オペレータが、各スタッカ６０ａ〜６０ｈに集積された紙葉類を開口部Ｏから取り出し、手に取って紙葉類の状態を確認する。そして、正損に関する特定の種類とすべき紙葉類が、どのスタッカ６０ａ〜６０ｈに集積されているかを判断する。具体的には、ＡＴＭ−Ｆｉｔとすべき紙葉類が集積されているスタッカ６０ａ〜６０ｈを特定し、Ｔｅｌｌｅｒ−Ｆｉｔとすべき紙葉類が集積されているスタッカ６０ａ〜６０ｈを特定し、Ｕｎｆｉｔとすべき紙葉類が集積されているスタッカ６０ａ〜６０ｈを特定する。そして、筐体１の正面側に設けられた操作表示部５９を介して、オペレータが、正損に関する３つの種類（ＡＴＭ−Ｆｉｔ、Ｔｅｌｌｅｒ−Ｆｉｔ、Ｕｎｆｉｔ）に仕分ける仕分け方（第２分類基準）を設定する。
【００５１】
例えば、オペレータの入力によって、スタッカ６０ａとスタッカ６０ｂとに集積された紙葉類（正損情報が０〜６３の紙葉類）が、Ｕｎｆｉｔとして仕分けられ、スタッカ６０ｃとスタッカ６０ｄとスタッカ６０ｅとスタッカ６０ｆとに集積された紙葉類（正損情報が６４〜１９１の紙葉類）が、Ｔｅｌｌｅｒ−Ｆｉｔとして仕分けられ、スタッカ６０ｇとスタッカ６０ｈとに集積された紙葉類（正損情報が１９２〜２５５の紙葉類）とが、ＡＴＭ−Ｆｉｔとして仕分けられるような第２分類基準が設定される。
【００５２】
その後、任意のタイミングで、各スタッカ６０ａ〜６０ｈ内の紙葉類が取り出される。
【００５３】
本実施の形態の紙葉類処理装置１００は、第１分類基準による仕分けの結果に基づく第２分類基準（Ｎより少ない個数の種類に分類する基準である）を、後続の紙葉類処理において利用することも可能である。例えば制御部５０が、第１分類基準による仕分けの結果に基づく第２分類基準を作成して記憶部５６に記憶させ、後続の紙葉類処理において呼び出して利用することができる。この場合、制御部５０が、第２分類基準を第１分類基準に基づいて作成する分類基準作成部である。
【００５４】
本例では、前述の通り、第１分類基準により分類されるＮ個の種類に含まれる複数の種類を併合し、第２分類基準により分類される１つの種類としている。この場合、第２分類基準の作成が容易であるため好ましいが、必ずしもこの態様に限定されない。例えば、第１分類基準を、Ｎ−１個の閾値によりＮ個の種類に分類する基準として作成し、第１分類基準のＮ−１個の閾値からＮ−２個以下の閾値を選択することで、第２分類基準を作成してもよい。
【００５５】
以上の通り、本実施の形態によれば、８個のスタッカ６０ａ〜６０ｈの各々に設けられた開口部Ｏを介して、オペレータが各スタッカ６０ａ〜６０ｈ内部の紙葉類の状態を実際に視認可能である。そして、実際に視認した各スタッカ６０ａ〜６０ｈの紙葉類の状態に基づいて、オペレータは、操作表示部５９を介して、紙葉類を３つの種類に仕分ける分類基準（第２分類基準）を任意に容易に設定することができる。すなわち、オペレータは、紙葉類の仕分け方について、現場で実際の紙葉類の状態を把握しながら容易に設定することができる。なお、第２分類基準により分類される種類の数は、２以上であればよく、３である必要は無い。
【００５６】
なお、Ｎがスタッカ６０の個数と同数であるとき、もっとも詳細な正損分類を利用できて好ましい。従って、Ｎを当該数に固定しておく態様も採用可能である。この場合、操作者によるＮの入力操作は不要である。
【００５７】
また、Ｎの最小数は３である。この場合、例えば、１つの種類が正券、残りの２つの種類が損券、という分類が第２分類基準となる。
【００５８】
また、自動作成される第１分類基準は、前述のような均等割りに限定されず、例えば上位３０段階と下位３０段階については分類対象外として、残りの１９６段階についてＮ個の種類に分類するような基準であってもよい。
【００５９】
あるいは、自動作成される第１分類基準は、上位側と下位側とで範囲が広いような重み付けされた基準であってもよい。例えば、Ｎ＝８の場合、（１）正損情報が０〜４４の紙葉類、（２）正損情報が４５〜８０の紙葉類、（３）正損情報が８１〜１０７の紙葉類、（４）正損情報が１０８〜１２７の紙葉類、（５）正損情報が１２８〜１４７の紙葉類、（６）正損情報が１４８〜１７４の紙葉類、（７）正損情報が１７５〜２１０の紙葉類、（８）正損情報が２１１〜２５５の紙葉類、の８個の種類に分類する基準が採用されてもよい。
【００６０】
ところで、正損情報は、紙葉類の欠損の程度、汚損の程度、厚み異常の程度、及び、疲労の程度などの正損要因に関する情報である。ここまで述べた実施の形態では、正損情報を複数の正損要因について総合的に評価した値として説明したが、後述するように、正損情報を特定の正損要因のみに関する情報としてもよい。
【００６１】
次に、図４は、前記実施の形態の変形例として、１６個のスタッカ６０ａ〜６０ｐが設けられている紙葉類処理装置１００を示している。図５は、図４に示す紙葉類処理装置１００の内部に設置される基板の構成の概略を示したものである。
【００６２】
図４及び図５に示す態様では、駆動部７１は、前述した上部駆動部、第一下部駆動部及び第二下部駆動部の他に、スタッカ６０ｉ−６０ｌを含む第三スタッカユニット１３０内に設けられ、当該第三スタッカユニット１３０内における搬送ローラ及び／又は搬送ベルト、羽根車６１ｉ−６１ｌ等を駆動する第三下部駆動部と、スタッカ６０ｍ−６０ｐを含む第四スタッカユニット１４０内に設けられ、当該第四スタッカユニット１４０内における搬送ローラ及び／又は搬送ベルト、羽根車等を駆動する第四下部駆動部と、を有している。
【００６３】
また、図４及び図５に示す態様では、第一スタッカユニット１１０及び第二スタッカユニット１２０に対応した電源１１９が第一スタッカユニット１１０に設けられ、第三スタッカユニット１３０及び第四スタッカユニット１４０に対応した電源１３９が第三スタッカユニット１３０に設けられている。
【００６４】
なお、スタッカ６０ｉ−６０ｌの上部には、第三スタッカユニット１３０内の搬送部７０を覆うようにして第三カバーが設けられ、スタッカ６０ｍ−６０ｐの上部には、第四スタッカユニット１４０内の搬送部７０を覆うようにして第四カバーが設けられてもよい。
【００６５】
図５に示すように、紙葉類処理装置１００は、ＣＰＵを含むメイン基板１０１と、メイン基板１０１に接続され、第一スタッカユニット１１０内に設けられた第一スタッカユニット駆動基板１１２と、メイン基板１０１に接続され、第二スタッカユニット１２０内に設けられた第二スタッカユニット駆動基板１２２と、メイン基板１０１にスタッカ基板１３１を介して接続され、第三スタッカユニット１３０内に設けられた第三スタッカユニット駆動基板１３２と、メイン基板１０１にスタッカ基板１３１を介して接続され、第四スタッカユニット１４０内に設けられた第四スタッカユニット駆動基板１４２と、を備えている。なお、スタッカ基板１３１は第三スタッカユニット１３０内に設けられるとともに、ＣＰＵを含んでいる。
【００６６】
第一スタッカユニット駆動基板１１２はメイン基板１０１からの指令を受けて第一下部駆動部等を駆動し、第二スタッカユニット駆動基板１２２はメイン基板１０１からの指令を受けて第二下部駆動部等を駆動し、第三スタッカユニット駆動基板１３２はスタッカ基板１３１（又はメイン基板１０１）からの指令を受けて第三下部駆動部等を駆動し、第四スタッカユニット駆動基板１４２はスタッカ基板１３１（又はメイン基板１０１）からの指令を受けて第四下部駆動部等を駆動するようになっている。
【００６７】
スタッカ基板１３１は、スタッカ６０ｉ−６０ｌ内及びスタッカ６０ｍ−６０ｐ内に集積されている紙葉類の枚数、紙葉類の分類情報等の様々な情報を記憶するスタッカ記憶部１３６（図３参照）と、第三スタッカユニット駆動基板１３２、第四スタッカユニット駆動基板１４２等を制御するスタッカ制御部１３５（図３参照）とを、有している。
【００６８】
スタッカ基板１３１は、メイン基板１０１からの指令を受け、当該指令に基づいて第三スタッカユニット駆動基板１３２及び第四スタッカユニット駆動基板１４２に対して指令を送信するようになっている。また、スタッカ６０ｉ−６０ｌ内及びスタッカ６０ｍ−６０ｐ内に集積されている紙葉類の枚数、紙葉類の分類情報等の情報は、スタッカ基板１３１で取得されて、当該スタッカ基板１３１からメイン基板１０１へ送信されることもできるようになっている。
【００６９】
次に、以上のような構成からなる１６個のスタッカ６０ａ〜６０ｐを有する前記実施の形態の変形例の作用について説明する。
【００７０】
まず、受入部１１に処理の対象となる紙葉類が載置される（図２及び図４参照）。次に、受入部１１に載置された紙葉類が筐体１内に取込部１０によって取り込まれる。このように取込部１０によって取り込まれた紙葉類は搬送部７０で搬送され、識別部５５で識別される。本実施の形態では、複数の正損要因の一つである紙葉類の欠損の程度に関する正損情報に基づいて紙葉類を分類する。本実施の形態の識別部５５は、各紙葉類の欠損の程度について、２５６段階の正損情報を出力可能となっている。
【００７１】
次に、例えば操作表示部５９に対する操作者の入力操作によってＮが与えられ、制御部５０が、紙葉類を正損に関するＮ個の種類に分類する第１分類基準を自動で作成する。ここでは、Ｎ＝１６として説明を続ける。本例の第１分類基準は、紙葉類を欠損に関する１６個の種類に分類する基準であり（１）正損情報が０〜１５の紙葉類、（２）正損情報が１６〜３１の紙葉類、（３）正損情報が３２〜４７の紙葉類、（４）正損情報が４８〜６３の紙葉類、（５）正損情報が６４〜７９の紙葉類、（６）正損情報が８０〜９５の紙葉類、（７）正損情報が９６〜１１０の紙葉類、（８）正損情報が１１２〜１２７の紙葉類、（９）正損情報が１２８〜１４３の紙葉類、（１０）正損情報が１４４〜１５９の紙葉類、（１１）正損情報が１６０〜１７５の紙葉類、（１２）正損情報が１７６〜１９１の紙葉類、（１３）正損情報が１９２〜２０７の紙葉類、（１４）正損情報が２０８〜２２３の紙葉類、（１５）正損情報が２２４〜２３９の紙葉類、（１６）正損情報が２４０〜２５５の紙葉類、の１６個の種類に分類する基準である。ここで、正損情報は紙葉類の欠損に関する情報である。制御部５０は、当該第１分類基準と識別部５５による識別結果（各紙葉類の欠損の程度について２５６段階の値）に基づいて、搬送部７０による搬送の途中において分岐される。分岐された各紙葉類は、１６個の種類に対応するように、スタッカ６０（６０ａ〜６０ｐ）に集積される。
【００７２】
具体的には、正損情報が０〜１５の紙葉類がスタッカ６０ａに集積され、正損情報が１６〜３１の紙葉類がスタッカ６０ｂに集積され、正損情報が３２〜４７の紙葉類がスタッカ６０ｃに集積され、ル正損情報が４８〜６３の紙葉類がスタッカ６０ｄに集積され、正損情報が６４〜７９の紙葉類がスタッカ６０ｅに集積され、正損情報が８０〜９５の紙葉類がスタッカ６０ｆに集積され、正損情報が９６〜１１０の紙葉類がスタッカ６０ｇに集積され、正損情報が１１２〜１２７の紙葉類がスタッカ６０ｈに集積され、正損情報が１２８〜１４３の紙葉類がスタッカ６０ｉに集積され、正損情報が１４４〜１５９の紙葉類がスタッカ６０ｊに集積され、正損情報が１６０〜１７５の紙葉類がスタッカ６０ｋに集積され、正損情報が１７６〜１９１の紙葉類がスタッカ６０ｌに集積され、正損情報が１９２〜２０７の紙葉類がスタッカ６０ｍに集積され、正損情報が２０８〜２２３の紙葉類がスタッカ６０ｎに集積され、正損情報が２２４〜２３９の紙葉類がスタッカ６０ｏに集積され、正損情報が２４０〜２５５の紙葉類がスタッカ６０ｐに集積される。
【００７３】
なお、識別部５５で正常に識別されなかった紙葉類は、リジェクト紙葉類として例えばリジェクト部６５ａ，６５ｂへと搬送される。
【００７４】
各スタッカ６０ａ〜６０ｐは、図４に示すように、前面に開口部Ｏを有している（透明な窓部でもよい）。この開口部Ｏ（または窓部）を介して、オペレータがスタッカ６０ａ〜６０ｐ内の紙葉類の欠損状態を視覚的に確認する。または、オペレータが、各スタッカ６０ａ〜６０ｐに集積された紙葉類を開口部Ｏから取り出し、手に取って紙葉類の欠損状態を確認する。そして、正損に関する特定の種類とすべき欠損状態の紙葉類が、どのスタッカ６０ａ〜６０ｐに集積されているかを判断する。具体的には、ＡＴＭ−Ｆｉｔとすべき欠損状態の紙葉類が集積されているスタッカ６０ａ〜６０ｐを特定し、Ｔｅｌｌｅｒ−Ｆｉｔとすべき欠損状態の紙葉類が集積されているスタッカ６０ａ〜６０ｐを特定し、Ｕｎｆｉｔとすべき欠損状態の紙葉類が集積されているスタッカ６０ａ〜６０ｐを特定する。そして、筐体１の正面側に設けられた操作表示部５９を介して、オペレータが、正損に関する３つの種類（ＡＴＭ−Ｆｉｔ、Ｔｅｌｌｅｒ−Ｆｉｔ、Ｕｎｆｉｔ）に仕分ける仕分け方（第２分類基準）を設定を入力する。
【００７５】
例えば、オペレータの入力によって、スタッカ６０ａ〜６０ｃに集積された紙葉類（正損情報が０〜４７の紙葉類）が、Ｕｎｆｉｔとして仕分けられ、スタッカ６０ｄ〜６０ｋに集積された紙葉類（正損情報が４８〜１７５の紙葉類）が、Ｔｅｌｌｅｒ−Ｆｉｔとして仕分けられ、スタッカ６０ｌ〜６０ｐに集積された紙葉類（正損情報が１７６〜２５５の紙葉類）が、ＡＴＭ−Ｆｉｔとして仕分けられる。
【００７６】
その後、任意のタイミングで、各スタッカ６０ａ〜６０ｐ内の紙葉類が取り出される。
【００７７】
このような本実施の形態の変形例においても、第１分類基準による仕分けの結果に基づく第２分類基準（Ｎより少ない個数の種類に分類する基準である）を、後続の紙葉類処理において利用することも可能である。例えば制御部５０が、第１分類基準による仕分けの結果に基づく第２分類基準を作成して記憶部５６に記憶させ、後続の紙葉類処理において呼び出して利用することができる。この場合、制御部５０が、第２分類基準を第１分類基準に基づいて作成する分類基準作成部である。
【００７８】
以上の通り、本変形例によれば、１６個のスタッカ６０ａ〜６０ｐの各々に設けられた開口部Ｏを介して、オペレータが各スタッカ６０ａ〜６０ｐ内部の紙葉類の欠損状態を実際に視認可能である。そして、実際に視認した各スタッカ６０ａ〜６０ｐの紙葉類の欠損状態に基づいて、オペレータは、操作表示部５９を介して、紙葉類を３つの種類に仕分ける分類基準（第２分類基準）を任意に容易に設定することができる。すなわち、オペレータは、紙葉類の欠損に基づく仕分け方について、現場で実際の紙葉類の欠損状態を把握しながら容易に設定することができる。なお、第２分類基準により分類される種類の数は、２以上であればよく、３である必要は無い。
【００７９】
このように、複数の正損要因から選択した特定正損要因に関する第１分類基準と第２分類基準を作成する場合は、複数の正損要因を総合的に判定した分類基準を作成する場合に比べて、特定正損要因に関して、より正確な分類基準を作成できる見込みがある。特定正損要因は、紙葉類の欠損の程度、汚損の程度、厚み異常の程度、及び、疲労の程度からなる正損要因のうち、少なくとも１つの正損要因とすることができる。
【００８０】
オペレータが第２分類基準を設定するときの補助手段として、操作表示部５９等の表示部に、各スタッカ６０ａ〜６０ｐに集積された紙葉類の情報を表示させてもよい。この場合、当該操作表示部５９をタッチパネル等で構成しておいて、当該操作表示部５９の表示画面上において、目的とする種類に仕分けるべき紙葉類が集積されているスタッカを選択できるようになっていることが好ましい。
【００８１】
図７に、そのような画面の一例を示す。図７の例では、各スタッカ６０ａ〜６０ｐ内部の紙葉類の枚数が棒グラフ状に図示されており、Ｕｎｆｉｔとする紙葉類が集積されているスタッカ、Ｔｅｌｌｅｒ−Ｆｉｔとする紙葉類が集積されているスタッカ、をそれぞれオペレータが容易にタッチ入力で選択できるようになっている。
【００８２】
あるいは、図８に示すように、各スタッカ６０ａ〜６０ｐ内部の紙葉類の情報として、集積枚数を数値で示したり、全体の枚数に対する各スタッカの集積枚数の比率を数値で示したり、例えば、左端のスタッカから順に、集積された紙葉類の累積枚数を数値で示したりすることも有効である。
【００８３】
また、オペレータが目的とする種類に仕分けるべき紙葉類が集積されているスタッカを選択する手段（入力部）としては、前記したようなタッチパネル等からなる操作表示部５９に限定されず、図９に示すように、各スタッカ６０ａ〜６０ｐの近傍に各スタッカ６０ａ〜６０ｐに対応するように設けられた各個別表示部５１ａ〜５１ｐに押ボタンを設けておくことも可能である。そのような場合、図９に示すように、各個別表示部５１ａ〜５１ｐには、対応するスタッカにおける紙葉類の枚数ないし累積枚数が表示されることが好ましい。
【００８４】
更に、識別部５５は、欠損の程度に加えて、汚損の程度、厚み異常の程度、及び、疲労の程度を識別するようになっていてもよい。例えば、汚損の程度、厚み異常の程度、及び、疲労の程度の各々について、２５６段階の値を出力可能となっていてもよい。
【００８５】
そして、紙葉類処理装置１００のスタッカが６個以上ある場合には、紙葉類を１つの正損要因のみに関するＮ個の種類に分類する第１分類基準と、紙葉類を別の正損要因のみに関するＮ個の種類に分類する第１分類基準とを、紙葉類処理装置１００の異なるスタッカに別々に適用し、１つの紙葉類処理装置１００で、複数の第１分類基準により紙葉類を分類することができる。
【００８６】
例えば図１０に示すように、複数の正損要因のそれぞれについて第１分類基準を設定することができる。まず、欠損の程度、汚損の程度、厚み異常の程度、及び、疲労の程度の４つの正損要因のそれぞれについて、使用する集積部の数Ｎを４に設定する。次に、制御部は、欠損の程度について４段階の第１分類基準（欠損の正損情報が０〜６３、欠損の正損情報が６４〜１２７、欠損の正損情報が１２８〜１９１、欠損の正損情報が１９２〜２５５）を作成し、スタッカ６０ａ〜スタッカ６０ｄに割り当てる。次に、受入部１１に処理の対象となる紙葉類が載置されると、それらの紙葉類を４つのスタッカ６０ａ〜スタッカ６０ｄに振り分け、欠損に関する４つの種類に分類する。このとき、汚損、厚み及び疲労の程度については評価せず、分類基準から除外する。次に、制御部は、汚損の程度について４段階の第１分類基準（汚損の正損情報が０〜６３、汚損の正損情報が６４〜１２７、汚損の正損情報が１２８〜１９１、汚損の正損情報が１９２〜２５５）を作成し、スタッカ６０ｅ〜スタッカ６０ｈに割り当てる。次に、受入部１１に処理の対象となる紙葉類が載置されると、それらの紙葉類を４つのスタッカ６０ａ〜スタッカ６０ｄに振り分け、汚損に関する４つの種類に分類する。このとき、欠損、厚み及び疲労の程度については評価せず、分類基準から除外する。次に、制御部は、厚み異常の程度について４段階の第１分類基準（厚み異常の正損情報が０〜６３、厚み異常の正損情報が６４〜１２７、厚み異常の正損情報が１２８〜１９１、厚み異常の正損情報が１９２〜２５５）を作成し、スタッカ６０ｉ〜スタッカ６０ｌに割り当てる。次に、受入部１１に処理の対象となる紙葉類が載置されると、それらの紙葉類を４つのスタッカ６０ｉ〜スタッカ６０ｌに振り分け、厚み異常に関する４つの種類に分類する。このとき、欠損、汚損及び疲労の程度については評価せず、分類基準から除外する。次に、制御部は、最後は疲労の程度について４段階の第１分類基準（疲労の正損情報が０〜６３、疲労の正損情報が６４〜１２７、疲労の正損情報が１２８〜１９１、疲労の正損情報が１９２〜２５５）を作成し、スタッカ６０ｍ〜スタッカ６０ｐに割り当てる。次に、受入部１１に処理の対象となる紙葉類が載置されると、それらの紙葉類を４つのスタッカ６０ｍ〜スタッカ６０ｐに振り分け、疲労に関する４つの種類に分類する。このとき、欠損、汚損及び厚み異常の程度については評価せず、分類基準から除外する。
【００８７】
このような４個のスタッカに対応する第１分類基準を、互いに異なる４つの正損要因のそれぞれについて採用しても、オペレータは各スタッカ６０ａ〜６０ｐ内部の紙葉類の状態を実際に視認可能であるから、実際に視認した各スタッカ６０ａ〜６０ｐの紙葉類の状態に基づいて、オペレータは、操作表示部５９を介して、第２分類基準を作成することができる。具体的には、オペレータは、スタッカ６０ａ〜６０ｄの紙葉類の状態に基づいて、欠損に関する新たな分類基準を作成し、スタッカ６０ｅ〜６０ｈの紙葉類の状態に基づいて、汚損に関する新たな分類基準を作成し、スタッカ６０ｉ〜６０ｌの紙葉類の状態に基づいて、厚み異常に関する新たな分類基準を作成し、スタッカ６０ｍ〜６０ｐの紙葉類の状態に基づいて、疲労に関する新たな分類基準を作成することができる。そして、欠損の程度、汚損の程度、厚み異常の程度、及び、疲労の程度に関する新たな分類基準のそれぞれを、第２分類基準として個別に利用してもよいし、これら４つの新たな分類基準を統合して、１つの第２分類基準として利用してもよい。
【００８８】
あるいは、例えば図１１に示すように、欠損の程度、汚損の程度、厚み異常の程度、及び、疲労の程度に対して等しく重み付けして、各程度のうちで最も数値が低い（程度が悪い）ものに基づくような第１分類基準が設定されてもよい。
【００８９】
図１１の例では、数値最小（最悪）の正損情報が０〜１５である紙葉類がスタッカ６０ａに集積され、数値最小（最悪）の正損情報が１６〜３１である紙葉類がスタッカ６０ｂに集積され、数値最小（最悪）の正損情報が３２〜４７である紙葉類がスタッカ６０ｃに集積され、数値最小（最悪）の正損情報が４８〜６３である紙葉類がスタッカ６０ｄに集積され、数値最小（最悪）の正損情報が６４〜７９である紙葉類がスタッカ６０ｅに集積され、数値最小（最悪）の正損情報が８０〜９５である紙葉類がスタッカ６０ｆに集積され、数値最小（最悪）の正損情報が９６〜１１０である紙葉類がスタッカ６０ｇに集積され、数値最小（最悪）の正損情報が１１２〜１２７である紙葉類がスタッカ６０ｈに集積され、数値最小（最悪）の正損情報が１２８〜１４３である紙葉類がスタッカ６０ｉに集積され、数値最小（最悪）の正損情報が１４４〜１５９である紙葉類がスタッカ６０ｊに集積され、数値最小（最悪）の正損情報が１６０〜１７５である紙葉類がスタッカ６０ｋに集積され、数値最小（最悪）の正損情報が１７６〜１９１である紙葉類がスタッカ６０ｌに集積され、数値最小（最悪）の正損情報が１９２〜２０７である紙葉類がスタッカ６０ｍに集積され、数値最小（最悪）の正損情報が２０８〜２２３である紙葉類がスタッカ６０ｎに集積され、数値最小（最悪）の正損情報が２２４〜２３９である紙葉類がスタッカ６０ｏに集積され、いずれの正損情報も２４０〜２５５である紙葉類がスタッカ６０ｐに集積される。
【００９０】
このような第１分類基準を採用しても、オペレータは各スタッカ６０ａ〜６０ｐ内部の紙葉類の状態を実際に視認可能であるから、実際に視認した各スタッカ６０ａ〜６０ｐの紙葉類の状態に基づいて、オペレータは、操作表示部５９を介して、第２分類基準を作成することができる。すなわち、オペレータは、第２分類基準を、現場で実際の紙葉類の状態を把握しながら容易に設定することができる。
【００９１】
なお、以上の実施の形態では、紙葉類紙幣処理装置１００は、第１分類基準を自動で作成し、この第１分類基準に基づいて第２分類基準を作成するものとして説明したが、たとえば、紙葉類紙幣処理装置１００は、手動で設定した第１分類基準に基づいて第２分類基準を作成するものとしてもよい。即ち、紙葉類紙幣処理装置１００は、紙葉類の正損情報を取得する識別部と、紙葉類の搬送途中において、各紙葉類を分岐させる分岐部と、分岐された紙葉類を集積する少なくともＮ個（Ｎは３以上の自然数）の集積部と、紙葉類を正損に関するＮ個の種類に分類する第１分類基準と識別部の識別結果に基づいて、分岐部を駆動制御する制御部と、紙葉類を正損に関するＮより少ない個数の種類に分類する第２分類基準を、第１分類基準に基づいて作成する分類基準作成部と、を備えたものとしてもよい。
【００９２】
なお、以上の実施の形態において、通常時においては、計数結果は、紙葉類処理装置１００に接続される管理装置（外部装置、通常は上位装置）で管理される。すなわち、紙幣処理装置１００が取り扱うデータは、基本的に全て、管理装置との間で送受信される。また、計数結果は、取引単位で集計され、計数の開始から取引の終了までの処理が１つの取引として扱われる。例えば、確定（ＡＣＣＥＰＴ）キーが入力されることにより取引は終了するが、それまで処理された計数結果は、すべて１つの取引の計数結果として集計される。
【００９３】
一方で、業務上の都合により、管理装置とは無関係の処理を紙葉類処理装置１００で実施したい場合がある。そのような処理は、紙葉類処理装置１００をいわゆるオフライン状態にして、実施されている。すなわち、紙葉類紙幣処理装置１００は、オンライン状態とオフライン状態とを、切替可能となっている。
【００９４】
ここで、オペレータが紙葉類処理装置１００をオフライン状態として適宜の処理を実施した後、オンライン状態に復帰させることを忘れる、ということが時々ある。そのような場合、管理装置と紙葉類処理装置１００との協働動作が実施できず、例えば管理装置からのモニタリング処理が滞るという問題があった。
【００９５】
また、業務上の都合により、処理中の取引とは無関係の処理を紙葉類処理装置１００で実施したい場合がある。
【００９６】
このような問題に対応するため、本実施の形態の紙葉類処理装置１００は、通常モードとは異なる第２のモード（ゲストモード）を用意している。ゲストモードでは、管理装置に対するオンライン状態を維持しながらも、管理装置とは無関係の処理、すなわち、管理装置と共同管理している取引から独立した処理、を実施できる。オペレータが操作表示部５９から当該ゲストモードを選択すると、オンライン状態を維持しながらも（従って管理装置によるモニタリング処理は継続される）、見かけ上は管理装置に対してオフラインであるが如く紙幣処理を実施することができる。また、ゲストモードでは、計数結果を、処理中の取引とは無関係の独立した計数結果として処理できる。
【００９７】
ゲストモードから通常モードへの復帰は、オペレータによるその旨の入力を要件としてもよいし、ゲストモード中の１取引の紙幣処理について確定（ＡＣＣＥＰＴ）キーが入力される毎に復帰してもよい。ゲストモードでの計数結果を通常モードでの処理に組み入れる（現在処理中の取引、既に処理済みの取引または後に処理する取引に加算、減算する等）ことも勿論可能である。
【００９８】
ゲストモードで紙幣の計数処理を実施する場合には、通常モードで処理した紙幣と混合しないようにすることが好ましい。すなわち、紙幣が混合しないように、空スタッカを用意してから（場合によってはスタッカに集積されているすべての紙幣の抜き取りを実施する）、ゲストモードでの紙幣の計数処理を実施してもよい。または、ゲストモードで処理された紙幣を、通常モードで主に使用するスタッカとは異なる集積部（例えば、リジェクト部）に集積してもよい。
【００９９】
また、紙葉類の混合を避けるため、受入部１１に紙葉類が残存している間は、モードの切替は不可としてもよい。更に、ゲストモードの選択中は、オペレータがその状態を容易に視覚的に認識できるように、画面全体の色を通常モード時とは異ならせることが好ましい。
【０１００】
また、ゲストモードで処理した計数結果は、通常モードで処理した計数結果としての取引データと同様に管理することができる。取引データは、取引ＩＤ、取引開始時間、取引終了時間、処理機ＩＤ、計数結果（金種別の紙幣枚数や合計金額）、手入力された紙幣の枚数や金額などに加え、通常モードとゲストモードのどちらで処理されたデータかを示すモード種別を含むものとしてもよい。
【符号の説明】
【０１０１】
５０        制御部
５５        識別部
５６        記憶部
５９        操作表示部（入力部）
７０        搬送部
７１        駆動部
６０ａ〜６０ｐ  スタッカ
Ｏ          開口部
１０５      上部ユニット
１１０      第一スタッカユニット
１２０      第二スタッカユニット
１３０      第三スタッカユニット
１３５      スタッカ制御部
１３６      スタッカ記憶部
１４０      第四スタッカユニット
【図１】
2016201046.tif 000003
【図２】
2016201046.tif 000004
【図３】
2016201046.tif 000005
【図４】
2016201046.tif 000006
【図５】
2016201046.tif 000007
【図６】
2016201046.tif 000008
【図７】
2016201046.tif 000009
【図８】
2016201046.tif 000010
【図９】
2016201046.tif 000011
【図１０】
2016201046.tif 000012
【図１１】
2016201046.tif 000013